(57)【要約】【課題】  録画の段階で、離れた２点（複数）の着目領域をズーム記録することにより、解像感の高い、離れた２点（複数）のズーム画像を鑑賞可能とする。【構成】  光学ズームレンズと、光学ズームレンズにより結像された光学像を撮像するエリア撮像素子と、エリア撮像素子を駆動するタイミングパルスを発生する駆動パルス発生手段と、駆動パルス発生手段により駆動されたエリア撮像素子の出力を記録画像に変換して記録する記録手段とを持つ画像記録装置において、複数の着目画像領域を内包し出来る限り光学ズームレンズをズームするズーム手段とを持ち、着目領域内では、エリア撮像素子から正常な画像が得られる駆動パルスを発生し、着目領域外では高速な駆動パルスを発生することにより、離れた複数の着目領域をズームして記録することを特徴とする画像記録装置。【選択図】  図１
2006246168.tif 000002
【特許請求の範囲】
【請求項１】
光学ズームレンズと、光学ズームレンズにより結像された光学像を撮像するエリア撮像素子と、エリア撮像素子を駆動するタイミングパルスを発生する駆動パルス発生手段と、駆動パルス発生手段により駆動されたエリア撮像素子の出力を記録画像に変換して記録する記録手段とを持つ画像記録装置において、複数の着目画像領域を内包し出来る限り光学ズームレンズをズームするズーム手段とを持ち、着目領域内では、エリア撮像素子から正常な画像が得られる駆動パルスを発生し、着目領域外では、高速な駆動パルスを発生することにより、離れた複数の着目領域をズームして記録することを特徴とする、画像記録装置。
【請求項２】
請求項１において、画像信号と共に着目領域の位置情報を記録することを特徴とする画像記録装置。
【発明の詳細な説明】
【技術分野】
【０００１】
本発明は、画像記録装置に関する。
【背景技術】
【０００２】
ビデオテープに動画を記録するデジタルビデオカメラにおいて、近年、静止画をメモリカードに記録できるものが見られるようになってきた。動画像の記録においては、画像サイズは７２０×４８０（ＮＴＳＣ）であるが、静止画記録では更なる高解像度（例えば１０２４×７６８以上）の画像サイズが一般的である。近年ますます高解像度な静止画記録を行うために撮像素子は高解像度化する傾向にある。
【０００３】
又、従来例としては、例えば特許文献１と特許文献２をあげることが出来る。
【特許文献１】特開２００３−１７２８７３号公報
【特許文献２】特開２００３−１４３４７８号公報
【発明の開示】
【発明が解決しようとする課題】
【０００４】
図８のような構図において、着目する領域（Ａ，Ｂ）が離れている場合、着目する領域Ａ，Ｂ以外も記録せざるをえず、そのため、着目する領域Ａ，Ｂが小さく記録されてしまうという欠点があった。
【課題を解決するための手段】
【０００５】
以上の課題を解決するために、本発明では、光学ズームレンズと、光学ズームレンズにより結像された光学像を撮像するエリア撮像素子と、エリア撮像素子を駆動するタイミングパルスを発生する駆動パルス発生手段と、駆動パルス発生手段により駆動されたエリア撮像素子の出力を記録画像に変換して記録する記録手段とを持つ画像記録装置において、複数の着目画像領域を内包し出来る限り光学ズームレンズをズームするズーム手段とを持ち、着目領域内では、エリア撮像素子から正常な画像が得られる駆動パルスを発生し、着目領域外では、高速な駆動パルスを発生することにより、離れた複数の着目領域をズームして記録を行うものである。
【０００６】
また、画像信号と共に着目領域の位置情報を記録することで、再生時にこの位置情報に基づいて、画像処理により着目領域を切り出して再生してもよい。
【発明の効果】
【０００７】
以上説明したように、本発明では、光学ズームレンズと、光学ズームレンズにより結像された光学像を撮像するエリア撮像素子と、エリア撮像素子を駆動するタイミングパルスを発生する駆動パルス発生手段と、駆動パルス発生手段により駆動されたエリア撮像素子の出力を記録画像に変換して記録する記録手段とを持つ画像記録装置において、複数の着目画像領域を内包し、出来る限り光学ズームレンズをズームするズーム手段とを持ち、着目領域内では、エリア撮像素子から正常な画像が得られる駆動パルスを発生し、着目領域外では、高速な駆動パルスを発生することにより、離れた複数の着目領域を１フィールソ画像内でズームして記録を行うものである。
【０００８】
これにより、解像感の高い、離れた複数の着目領域のズーム画像が鑑賞できる、また、画像信号と共に着目領域の位置情報を記録することで、再生時にこの位置情報に基づいて、画像処理により着目領域を切り出して再生してもよい。
【発明を実施するための最良の形態】
【０００９】
図１は、本実施例のブロック図であり、１はズームレンズ、２はエリア撮像素子であるＣＣＤ、３はＣＣＤ２の出力をアナログ／デジタル変換するアナログフロントエンド部（以下ＡＦＥと略す）、４はＡＦＥの出力のマスク処理や動画信号処理を行う画像処理部、５は画像処理部４の出力を記録信号に変換する記録処理部、６は記録処理部５の出力を記録媒体（不図示）に記録する記録ヘッド、７は垂直タイミング信号Ｖと水平タイミング信号Ｈおよびマスク信号ＭＡＳＣを生成するタイミング発生部、８は後で説明するパターン生成部１１の出力と画像処理部４の出力を合成する合成部、９は合成部８の出力を表示する液晶表示部、１０は全体のシステムを制御するシステムコントローラ、１１は記録対象領域を示す矩形パターンを生成するパターン生成部、１２は操作者（不図示）がズーミングを行うズームＳＷ、１３は操作者が記録対象領域を指示する対象設定ＳＷ、１４は操作者が動画像の記録開始を指示する記録ＳＷである。
【００１０】
操作者は、ズームＳＷ１２を用いて、記録対象領域Ａ，Ｂが入るように設定用の画角（図２の２０）を決める（図７−Ｓ１０、図７−Ｓ２０）。このときのＣＣＤ２の読み出しは、ＮＴＳＣ（１／６０秒フィールド）で書き込む為の読み出しではなく、操作者が表示部１１で画角を確認できる事を目的としているので、ＣＣＤ２から全画素をゆっくり（例えば１／１５フィールドで）読み出す。もしくは、複数ラインの加算して読み出しても構わない。このような読み出しをするタイミング信号Ｈ，Ｖを発生するように、システムコントローラ９は、タイミング発生部８を制御する。
【００１１】
次に、操作者は対象領域ＳＷ１３により、記録対象領域Ａ，Ｂを設定する（図７−Ｓ１１）。パターン生成部１１により記録対象領域を示す矩形画像２２，２３が生成され、合成部８で画像処理部４の出力と合成され、図２のような確認画面が表示部９で表示される（図７−Ｓ２１）。操作者は、表示部９で画面を確認しながら記録対象領域を示す矩形画像２２と２３を対象領域ＳＷで操作する。
【００１２】
操作者が記録ＳＷ１４により記録開始を指示すると（図７−Ｓ１２）、システムコントローラ１０は、記録対象領域Ａ，Ｂがぎりぎり入る画角まで、ズームレンズ１をズームし、画角を図２の２１にする（図７−Ｓ２２）。２１はＣＣＤの全画素分となる。
【００１３】
図５、図６は記録時のタイミングチャートであり、Ｖは垂直方向の転送パルス、Ｈは水平方向の転送パルスである。つまりＶが１ラインで、Ｈが１画素にあたる。垂直方向に関しては図５のように、着目領域Ａのライン（例えばＬ１）と、Ｂのライン（例えばＬ３）は通常の転送パルスとしてＶを発生し画像を取り出し、着目領域のないライン（例えばＬ２）では、Ｖ転送パルスを高速に駆動して画像を高速に間引く。また、その際、画像マスク信号ＭＡＳＫにより、着目領域の無いラインは画像処理部４でマスク処理する。図６は水平方向でのタイミングを説明する図であり、例としてＬ３ラインの時を示している。Ｃ１とＣ２は着目領域外であり、水平方向の転送パルスを高速に駆動し、着目領域（Ｂ）では、Ｈを通常の転送パルスとする。このようにして、得られる画像は、図３のようになる（図７−Ｓ２３）。
【００１４】
また、記録対象領域Ａ、Ｂの位置情報を、画像情報と共にサブコードとして記録媒体に記録し、再生時に、その位置情報をもとにして、記録対象領域を切り出す画像処理を行い、図４のような再生画像で鑑賞するようにしてもよい。
【図面の簡単な説明】
【００１５】
【図１】本実施例のブロック図
【図２】本実施例の説明図
【図３】本実施例の、記録画像
【図４】本実施例の、再生画像
【図５】本実施例の、垂直方向のタイミングチャート
【図６】本実施例の、水平方向のタイミングチャート
【図７】本実施例の、フローチャート
【図８】従来の記録再生画像
【符号の説明】
【００１６】
１  ズームレンズ
２  ＣＣＤ
３  アナログフロントエンド
４  画像処理部
５  記録処理部
６  記録ヘッド
７  タイミング発生部
８  画像合成部
９  液晶表示部
１０  システムコントローラ
１１  パターン生成部
１２  ズームＳＷ
１３  対象設定ＳＷ
１４  記録ＳＷ
【図１】
2006246168.tif 000003
【図２】
2006246168.tif 000004
【図３】
2006246168.tif 000005
【図４】
2006246168.tif 000006
【図５】
2006246168.tif 000007
【図６】
2006246168.tif 000008
【図７】
2006246168.tif 000009
【図８】
2006246168.tif 000010